(57)【要約】      （修正有）【課題】上部又は下部から観測されたとき、シャフトの中心線に対しオフセットされる末端部を含むシャフトがある水晶体超音波乳化吸引手術用チップを提供する。【解決手段】チップ４００は、卵状又は楕円状の開口４１９を形成する、長手方向の中心線４１５に対しほぼ斜めに切断される開口４１９を有するシャフト４１２を含む。シャフト４１２は、上部又は下部から観測されたときシャフト４１２の中心線４１５に対しオフセットされて、末端チップ４１３が、開口４１９の長径Ｍを通って走る線４１７上に在り、また中心線４１５からオフセットされるが中心線４１５にほぼ平行にオフセットされる末端部４１３を含む。チップ４００が長手方向に振動されるときホイッピング運動を生ずる構造を形成する。【選択図】図４
2007296364.tif 000002
【特許請求の範囲】
【請求項１】
末端部を有するチューブ状シャフトであって、前記シャフトは、前記シャフトの中心線に対しオフセットされて、前記中心線からオフセットされる線上の前記末端チップが前記中心線にほぼ平行にオフセットされるチューブ状シャフト：
を具備する、水晶体超音波乳化吸引手術用チップ。
【発明の詳細な説明】
【技術分野】
【０００１】
本発明は一般に、水晶体超音波乳化吸引手術の分野に関し、詳細には水晶体超音波乳化吸引手術用切断チップに関する。
【背景技術】
【０００２】
人間の眼は最も簡単にいうと、角膜と呼ばれる透明な外側部分を通って光を伝達し、また水晶体によって網膜に画像を焦点調整することにより視覚を提供するために機能する。焦点調整された画像の質は、眼の大きさと形状及び角膜と水晶体の透明性を含む多くの要因に従属する。
【０００３】
年齢又は病気が水晶体の透明性を弱めるとき、網膜に伝達できる光が減少するため視覚は劣化する。眼の水晶体のこの欠陥は、白内障として医学的に周知である。この病気のために一般に認められた処置は、水晶体の外科手術的な除去とＩＯＬによる水晶体機能の交換である。
【０００４】
米国において、白内障水晶体の大部分は、水晶体超音波乳化吸引手術と呼ばれる外科的手法により除去される。この処置の際に、細い水晶体超音波乳化吸引手術用切断チップは、病気になった水晶体の中に挿入され且つ超音波振動される。振動する切断チップは水晶体を液化又は乳化して、水晶体を眼から吸い出すことができる。病気になった水晶体はいったん除去されると、人工レンズにより交換される。
【０００５】
眼の処置に適した代表的な超音波外科手術装置は、超音波駆動ハンドピース、付属切断チップ、及び洗浄スリーブと電子制御コンソールから成る。ハンドピース集合体は、電気ケーブルと可撓性の流体用チューブにより制御コンソールに取り付けられる。電気ケーブルを介して、コンソールは、ハンドピースにより付属切断チップに伝達される電力レベルを変更し、また可撓性の流体用チューブは、ハンドピース集合体を介して眼に洗浄流体を供給し且つ眼から吸引流体を引き出す。
【０００６】
ハンドピースの動作部分は、一組の圧電性結晶に直接取り付けられ、中央に配置された中空の共鳴するバー又はホーンである。結晶は、水晶体超音波乳化吸引手術の際にホーンと付属切断チップの両方を駆動するために必要とされ、またコンソールにより制御される所要の超音波振動を供給する。結晶/ホーン集合体は、可撓性の台によりハンドピースの中空体又はシェルの内部に吊るされる。ハンドピース体は、本体の末端部にある小径部分またはノーズコーンで終結する。ノーズコーンは、洗浄スリーブに対応するために外側にネジ切りされる。同様に、ホーンの穴は、切断チップの外側ネジを受け入れるために末端部で内側にネジ切りされる。洗浄スリーブはまた、ノーズコーンの外側のネジにねじ込まれる内側にネジ切りされた穴も有する。切断チップは、チップが洗浄スリーブの開放端部を超えて一定量のみ突出するように調整される。
【０００７】
使用中、切断チップと洗浄スリーブの端部は、角膜、強膜、又は他の場所の一定幅の小さな切開の中に挿入される。切断チップは、結晶駆動超音波ホーンにより洗浄スリーブの内部でその長手方向に沿って超音波振動されて、選択された組織をその場で乳化している。切断チップの中空の穴は、ハンドピースからコンソールへの吸引ラインと順に連通するホーンの穴と連通する。コンソールの低減された圧力又は真空源は、眼から切断チップの開放端部、切断チップ、ホーンの穴及び吸引ラインを経て収集装置の中に乳化された組織を引き出し又は吸引する。乳化した組織の吸引は、洗浄スリーブの内表面と切断チップとの間の小さな環状ギャップを通って外科手術部位の中に注入される生理食塩水洗浄液又は洗浄薬により支援される。
【０００８】
幅広い支持を得た一つの水晶体超音波乳化吸引手術用チップは、鐘形又はフレア型の末端部を有する。そのようなチップは、特許文献１に記載されている。そのような設計は、真空がチップに印加されるときチップのシャフトの小さな穴を維持する一方向上された保持力のみならず大きなレンズ材料購入を可能にさせる。機能のこの結合は、末端部が閉塞された状態になり且つこの閉塞が破断するとき前房からの突然の流出を低減することにより前房の安定性を増大させる。
【０００９】
別の水晶体超音波乳化吸引手術用チップは、フレア型の末端部が有る又は無い斜めになった又は“曲がった”チップである。これらのチップは、特許文献２、特許文献３及び特許文献４に記載されている。これらのチップは、斜めに曲がっているシャフトの遠い末端部分を備える大部分は真直ぐなシャフトを有する。曲がったチップは、非常に多くの外科医により使用され、また特許文献５と特許文献６に記載され、またテキサス州、Fort Worth、Alcon研究所からNeoSonix（登録商標）ハンドピースとして商業的に入手可能なハンドピースなどの、振動する水晶体超音波乳化吸引手術用ハンドピースと共に使用されるとき特に有効であるが；一部の外科医は、チップのスリーブ部分の外挿に基づき近接の切断縁部分を判断することは曲げの近接位置のため困難であると感じ消極的である。
【００１０】
斜めの水晶体超音波乳化吸引手術用チップは、捩れた超音波ハンドピースと共に使用されるとき特に有利である。捩れた超音波ハンドピースは、特許文献７に詳細に開示されている。捩れたハンドピースはチップを捩り、また曲がったチップで使用されるときチップにホイッピング運動を生ずる。そのような捩れ運動をチップに生ずることは、特殊な捩れたハンドピースの使用を必要とする、また一般的に入手可能なハンドピースはシャフトの中心線に沿って長手方向の運動のみを生ずる。
【００１１】
従って、長手方向に振動されたときホイッピング運動を生ずる水晶体超音波乳化吸引手術用チップのニーズは在り続ける。
【特許文献１】米国特許第4,816,018号明細書(Parisi)
【特許文献２】米国特許第6,039,715号明細書(Mackool)
【特許文献３】米国特許第5,653,724号明細書(Imonti)
【特許文献４】米国特許第5,154,694号明細書(Kelman)
【特許文献５】米国特許第6,352,519号明細書(Anis、等)
【特許文献６】米国特許第6,602,193号明細書(Chon)
【特許文献７】米国特許第6,077,285号明細書(Boukhny)
【発明の開示】
【発明が解決しようとする課題】
【００１２】
本発明は、上部又は下部から観測されたときシャフトの中心線に対しオフセットされる末端部を含むシャフトがある水晶体超音波乳化吸引手術用チップを提供することにより従来技術を改良する。そのような構造は、チップが長手方向に振動されるときホイッピング運動を生ずる。
【課題を解決するための手段】
【００１３】
従って、本発明の一つの目的は、向上された効率を有する水晶体超音波乳化吸引手術用切断チップを提供することである。
【００１４】
本発明の別の目的は、上部又は下部から観測されたときシャフトの中心線に対しオフセットされる末端部を含むシャフトを有する水晶体超音波乳化吸引手術用切断チップを提供することである。
【００１５】
本発明の別の目的は、チップが長手方向に振動されるときホイッピング運動を生ずるシャフトを有する水晶体超音波乳化吸引手術用切断チップを提供することである。
【００１６】
本発明のこれらと他の利点及び目的は、後続する詳細説明と請求項から明らかになるであろう。
【発明を実施するための最良の形態】
【００１７】
図１で最もよく分るように、本発明で使用するために適当な外科手術用コンソール３２０は、テキサス州、Fort Worth、Alcon研究所から入手可能なINFINITI（登録商標）外科手術装置などの商業利用可能な外科手術用制御コンソールである。コンソール３２０は、洗浄ライン３２２と吸引ライン３２４を介してハンドピース９に接続され、ライン３２２と３２４を通る流量は、ユーザにより、例えば足踏みスイッチ３２６により制御される。電力は、電気ケーブル４００を介してハンドピース９に供給される。
【００１８】
図２で最もよく分るように、従来技術の水晶体超音波乳化吸引手術用チップ１０は、末端チップ１４へ最後まで真直ぐである。図３で最もよく分るように、従来技術の水晶体超音波乳化吸引手術用チップ１１０は、末端部１１３まで真直ぐであるシャフト１１２を含む。側面又は正面図から観測されたとき、末端部１１３は、シャフト１１２と末端部１１３の交差部分１１７から末端チップ１１４へ最後まで、シャフト１１２の中心線１１５に対し斜めに曲がっている。
【００１９】
図４と５で最もよく分るように、本発明のチップ４００は、卵状又は楕円状の開口４１９を形成する、長手方向の中心線４１５に対しほぼ斜めに切断される開口４１９を有するシャフト４１２を含む。シャフト４１２は、上部又は下部から観測されたときシャフト４１２の中心線４１５に対しオフセットされて、末端チップ４１３が、開口４１９の長径Ｍを通って走る線４１７上に在り、また中心線４１５からオフセットされるが中心線４１５にほぼ平行にオフセットされる末端部４１３を含む。そのような構造は、チップが長手方向に振動されるときホイッピング運動を生ずる。
【００２０】
この記載は、イラストと説明のために与えられている。本発明の要旨又は精神から逸脱することなく前述の本発明に対し変更と改良を実施できることは当業者には明らかであろう。
【図面の簡単な説明】
【００２１】
【図１】図１は、本発明で使用できるハンドピースと制御コンソールの斜視図である。
【図２】図２は、代表的な従来技術の真直ぐなシャフトの水晶体超音波乳化吸引手術用チップの末端部の斜視図である。
【図３】図３は、代表的な従来技術の斜めになった又は曲った水晶体超音波乳化吸引手術用チップの末端部の正面図である。
【図４】図４は、本発明の水晶体超音波乳化吸引手術用チップの平面図である。
【図５】図５は、本発明の水晶体超音波乳化吸引手術用チップの正面図である。
【符号の説明】
【００２２】
９    ハンドピース
１１０    従来技術の水晶体超音波乳化吸引手術用チップ
１１２    シャフト
１１３    末端部
１１４    末端チップ
１１５    中心線
１１７    交差部分
３２０    外科手術用コンソール
３２２    洗浄ライン
３２４    吸引ライン
３２６    足踏みスイッチ
４００    電気ケーブル
４１２    シャフト
４１３    末端部
４１５    中心線
４１９    開口
Ｍ    開口の長径
【図１】
2007296364.tif 000003
【図２】
2007296364.tif 000004
【図３】
2007296364.tif 000005
【図４】
2007296364.tif 000006
【図５】
2007296364.tif 000007